(57)【要約】【課題】照明制御システムの可用性を向上させる。【解決手段】照明制御装置１０＿１，１０＿２，・・・，１０＿ｎのいずれかは、他の照明制御装置に対し、該他の照明制御装置に接続された照明機器２２の制御を指示する親の照明制御装置として動作し、照明制御装置１０＿１，１０＿２，・・・，１０＿ｎの内、親の照明制御装置を除く照明制御装置は、親の照明制御装置からの指示に応じて照明機器２２の制御を行う子の照明制御装置として動作する。子の照明制御装置は、親の照明制御装置から受信した第１の確認信号に応じて、親の照明制御装置が異常であるか否かを判定する。親の照明制御装置が異常であると判定した場合は、子の照明制御装置は、子の照明制御装置の中から、新たな親の照明制御装置を決定する。【選択図】図１
2018147608.tif 000002
【特許請求の範囲】
【請求項１】
照明機器および該照明機器の動作を指示する指示装置を含む対象機器に接続され、該対象機器を制御する照明制御装置であって、
他の照明制御装置との間で、前記照明機器の制御内容を示す照明制御情報の送受信および前記照明制御装置の異常の有無を示す第１の確認信号の送受信を行う第１の通信部と、
前記対象機器との間で、前記照明機器の動作の指示を含む機器制御情報の送受信を行う第２の通信部と、
前記第１の通信部で自装置に接続された前記照明機器に対する前記照明制御情報を受信した場合は、該照明機器に対する前記機器制御情報を生成し、前記第２の通信部で前記指示装置から前記機器制御情報を受信した場合は、前記自装置に接続された前記照明機器に対する前記機器制御情報および前記他の照明制御装置に接続された前記照明機器に対する前記照明制御情報の少なくともいずれかを生成する機器制御部と、
第１の前記他の照明制御装置から受信した前記第１の確認信号に応じて、前記第１の他の照明制御装置が異常であるか否かを判定する異常判定部と、
前記異常判定部で前記第１の他の照明制御装置が異常であると判定された場合に、自装置および第２の前記他の照明制御装置の中から新たな前記第１の他の照明制御装置を決定する主従判定部と、
を備える照明制御装置。
【請求項２】
照明機器および該照明機器の動作を指示する指示装置を含む対象機器と、
それぞれが、前記対象機器に接続され、該対象機器を制御し、互いにネットワークを介して接続された３つ以上の照明制御装置と、
を備え、
いずれかの前記照明制御装置は、他の前記照明制御装置に対し、前記他の照明制御装置に接続された前記照明機器の制御を指示する親の照明制御装置として動作し、前記親の照明制御装置を除く前記照明制御装置は、前記親の照明制御装置からの指示に応じて前記照明機器の制御を行う子の照明制御装置として動作し、
前記照明制御装置は、
前記他の照明制御装置との間で、前記照明機器の制御内容を示す照明制御情報の送受信および前記照明制御装置の異常の有無を示す第１の確認信号の送受信を行う第１の通信部と、
前記対象機器との間で、前記照明機器の動作の指示を含む機器制御情報の送受信を行う第２の通信部と、
前記第１の通信部で自装置に接続された前記照明機器に対する前記照明制御情報を受信した場合は、該照明機器に対する前記機器制御情報を生成し、前記第２の通信部で前記指示装置から前記機器制御情報を受信した場合は、前記自装置に接続された前記照明機器に対する前記機器制御情報および前記他の照明制御装置に接続された前記照明機器に対する前記照明制御情報の少なくともいずれかを生成する機器制御部と、
前記親の照明制御装置から受信した前記第１の確認信号に応じて、前記親の照明制御装置が異常であるか否かを判定する異常判定部と、
前記異常判定部で前記親の照明制御装置が異常であると判定された場合に、前記子の照明制御装置の中から新たな前記親の照明制御装置を決定する主従判定部と、
を有し、
前記機器制御部が前記他の照明制御装置に接続された前記照明機器に対する前記照明制御情報を生成した場合において、前記親の照明制御装置が有する前記第１の通信部は、該他の照明制御装置に該照明制御情報を送信し、前記子の照明制御装置が有する前記第１の通信部は、前記親の照明制御装置に該照明制御情報を送信し、
前記親の照明制御装置が有する前記第１の通信部は、前記子の照明制御装置から他の前記子の照明制御装置に接続された前記照明機器に対する前記照明制御情報を受信すると、前記他の子の照明制御装置に該照明制御情報を送信する、
照明制御システム。
【請求項３】
前記照明制御装置ごとに、固有の識別番号が割り当てられ、
前記主従判定部は、前記識別番号に応じて、前記子の照明制御装置の中から、新たな前記親の照明制御装置を決定する、
請求項２に記載の照明制御システム。
【請求項４】
前記親の照明制御装置が有する前記第１の通信部は、定められた間隔で前記第１の確認信号を前記子の照明制御装置に送信し、
前記子の照明制御装置が有する前記異常判定部は、前記第１の通信部が最後に前記第１の確認信号を受信してから定められた時間が経過した場合に、前記親の照明制御装置が異常であると判定する、
請求項２または３に記載の照明制御システム。
【請求項５】
前記第１の通信部は、前記対象機器の情報を示す対象機器情報の送受信を行い、
前記照明制御装置は、前記対象機器の前記対象機器情報および前記第１の通信部で受信した前記他の照明制御装置が制御する前記対象機器の前記対象機器情報が記憶される構成管理部をさらに備える、
請求項２から４のいずれか１項に記載の照明制御システム。
【請求項６】
前記第２の通信部は、前記対象機器と、前記対象機器の状態を示す第２の確認信号の送受信を行い、
前記照明制御装置は、前記第２の通信部が、前記対象機器から受信した前記第２の確認信号に応じて、前記対象機器の前記対象機器情報に変更があるか否かを判定する対象機器管理部をさらに備え、
前記構成管理部は、前記対象機器管理部の判定に応じて、前記対象機器の前記対象機器情報を更新する、
請求項５に記載の照明制御システム。
【請求項７】
前記第１の通信部は、前記対象機器の前記対象機器情報の送受信を行い、
前記構成管理部は、前記第１の通信部で受信した前記対象機器情報に応じて、前記対象機器の前記対象機器情報を更新し、
前記構成管理部が前記対象機器の前記対象機器情報を更新した場合であって、前記親の照明制御装置として動作する場合には、前記第１の通信部は、前記子の照明制御装置に、更新された前記対象機器の前記対象機器情報を送信し、前記子の照明制御装置として動作する場合には、前記第１の通信部は、前記親の照明制御装置に、更新された前記対象機器の前記対象機器情報を送信する、
請求項５または６に記載の照明制御システム。
【請求項８】
前記照明制御装置のそれぞれに対して、少なくとも１つのグループが対応付けられ、
前記グループは、該グループに対応づけられた前記照明制御装置が制御する前記照明機器を含み、
前記機器制御部は、前記第１の通信部で前記自装置に対する前記照明制御情報を受信した場合は、該照明制御情報に応じて前記グループごとに、前記照明機器に対する前記機器制御情報を生成し、前記第２の通信部で前記指示装置から前記照明機器に対する前記機器制御情報を受信した場合は、該機器制御情報に応じて、該照明機器と同じ前記グループに含まれる前記照明機器に対する前記機器制御情報、および前記他の照明制御装置に対する前記照明制御情報の少なくともいずれかを生成する、
請求項２から７のいずれか１項に記載の照明制御システム。
【請求項９】
少なくとも１つの前記グループを含む、少なくとも１つのゾーンが定められ、
前記機器制御部は、前記第１の通信部で前記自装置に対する前記照明制御情報を受信した場合は、該照明制御情報に応じて前記グループごとに、前記照明機器に対する前記機器制御情報を生成し、前記第２の通信部で前記指示装置から前記照明機器に対する前記機器制御情報を受信した場合は、該機器制御情報に応じて、該照明機器と同じ前記グループに対応付けられる前記照明機器、該グループと同じゾーンに含まれる他の前記グループに含まれる前記照明機器に対する前記機器制御情報、および該ゾーンに含まれる他の前記グループに対応付けられる前記他の照明制御装置に対する前記照明制御情報の少なくともいずれかを生成する、
請求項８に記載の照明制御システム。
【請求項１０】
ユーザからの入力を受け付け、該入力に応じて、前記照明制御装置と前記グループとの対応関係および前記グループに含まれる前記照明機器を決定し、接続された前記照明制御装置に、前記照明制御装置と前記グループとの対応関係および前記グループに含まれる前記照明機器を示す対応関係情報を送信する設定装置をさらに備え、
前記第１の通信部は、前記対応関係情報を受信し、
前記機器制御部は、前記対応関係情報に応じて、前記第１の通信部で前記自装置に対する前記照明制御情報を受信した場合は、該照明制御情報に応じて前記グループごとに、前記照明機器に対する前記機器制御情報を生成し、前記第２の通信部で前記指示装置から前記照明機器に対する前記機器制御情報を受信した場合は、該機器制御情報に応じて、該照明機器と同じ前記グループに含まれる前記照明機器に対する前記機器制御情報、および前記他の照明制御装置に対する前記照明制御情報の少なくともいずれかを生成する、
請求項８に記載の照明制御システム。
【請求項１１】
ユーザからの入力を受け付け、該入力に応じて、前記照明制御装置と前記グループとの対応関係、前記グループに含まれる前記照明機器、および前記グループと前記ゾーンとの対応関係を決定し、接続された前記照明制御装置に、前記照明制御装置と前記グループとの対応関係、前記グループに含まれる前記照明機器、および前記グループと前記ゾーンとの対応関係を示す対応関係情報を送信する設定装置をさらに備え、
前記第１の通信部は、前記対応関係情報を受信し、
前記機器制御部は、前記対応関係情報に応じて、前記第１の通信部で前記自装置に対する前記照明制御情報を受信した場合は、該照明制御情報に応じて前記グループごとに、前記照明機器に対する前記機器制御情報を生成し、前記第２の通信部で前記指示装置から前記照明機器に対する前記機器制御情報を受信した場合は、該機器制御情報に応じて、該照明機器と同じ前記グループに対応付けられる前記照明機器、該グループと同じゾーンに含まれる他の前記グループに含まれる前記照明機器に対する前記機器制御情報、および該ゾーンに含まれる他の前記グループに対応付けられる前記他の照明制御装置に対する前記照明制御情報の少なくともいずれかを生成する、
請求項９に記載の照明制御システム。
【発明の詳細な説明】
【技術分野】
【０００１】
本発明は、照明機器を制御する照明制御装置および照明制御システムに関する。
【背景技術】
【０００２】
照明機器、ならびに、照明機器の点灯、消灯等を制御する壁スイッチおよびセンサは、照明制御装置と伝送線で接続される。照明制御装置は、照明機器、壁スイッチおよびセンサに電力を供給し、照明機器、壁スイッチおよびセンサを制御する。伝送線の距離が長くなるにつれて、伝送線を流れる電流および電圧は減衰するため、一台の照明制御装置で制御できる照明機器、壁スイッチおよびセンサの台数には限度がある。そのため、例えばビル全体の照明を制御する照明制御システムにおいては、複数の照明制御装置が設けられ、複数の照明制御装置を制御する中央制御装置が設けられる。
【０００３】
照明制御システムにおいては、中央制御装置による、複数の照明器具の集中監視および集中制御が行われている。特許文献１に開示される照明制御システムは、監視端末器および制御端末器を介して照明負荷を監視制御する複数の中央制御装置、および複数の中央制御装置に接続され、中央制御装置と伝送データの送受信を行うことで、照明負荷を監視制御する中央処理装置を備える。該照明制御システムにおいては、中央処理装置と複数の中央制御装置とを接続するローカルエリアネットワークにおけるデータ態様と、中央制御装置と監視端末器および制御端末器とを接続する伝送線におけるデータ態様とが同一であるため、中央制御装置におけるデータ変換が不要である。
【先行技術文献】
【特許文献】
【０００４】
【特許文献１】特開２００４−１８５８７７号公報
【発明の概要】
【発明が解決しようとする課題】
【０００５】
特許文献１に開示される照明制御システムでは、中央制御装置は、中央処理装置から送出された伝送データに応じて、自装置に伝送線を介して接続された照明負荷の監視制御を行う。そのため、中央処理装置に異常が生じ、中央処理装置が伝送データを送信できない場合は、中央制御装置および照明負荷に異常がなくとも、中央制御装置は、点灯、消灯等の照明負荷の制御の継続または変更を行うことができないという課題がある。
【０００６】
本発明は上述の事情に鑑みてなされたものであり、照明制御システムの可用性を向上させることが目的である。
【課題を解決するための手段】
【０００７】
上記目的を達成するため、本発明に係る照明制御装置は、照明機器および該照明機器の動作を指示する指示装置を含む対象機器に接続され、該対象機器を制御する照明制御装置である。照明制御装置は、第１の通信部、第２の通信部、機器制御部、異常判定部、および主従判定部を備える。第１の通信部は、他の照明制御装置との間で、照明機器の制御内容を示す照明制御情報の送受信および照明制御装置の異常の有無を示す第１の確認信号の送受信を行う。第２の通信部は、対象機器との間で、照明機器の動作の指示を含む機器制御情報の送受信を行う。機器制御部は、第１の通信部で自装置に接続された照明機器に対する照明制御情報を受信した場合は、該照明機器に対する機器制御情報を生成し、第２の通信部で指示装置から機器制御情報を受信した場合は、自装置に接続された照明機器に対する機器制御情報および他の照明制御装置に接続された照明機器に対する照明制御情報の少なくともいずれかを生成する。異常判定部は、第１の他の照明制御装置から受信した第１の確認信号に応じて、第１の他の照明制御装置が異常であるか否かを判定する。主従判定部は、異常判定部で第１の他の照明制御装置が異常であると判定された場合に、自装置および第２の他の照明制御装置の中から新たな第１の他の照明制御装置を決定する。
【発明の効果】
【０００８】
本発明によれば、第１の他の照明制御装置が異常であると判定された場合に、自装置および第２の他の照明制御装置の中から新たな第１の他の照明制御装置を決定することで、照明制御システムの可用性を向上させることが可能である。
【図面の簡単な説明】
【０００９】
【図１】本発明の実施の形態１に係る照明制御システムの構成例を示すブロック図
【図２】実施の形態１に係る照明制御装置の構成例を示すブロック図
【図３】実施の形態１に係る照明制御システムにおける照明器具の配置例を示す図
【図４】実施の形態１における照明機器とグループとの対応関係の例を示す図
【図５】実施の形態１における照明制御装置とグループとの対応関係の例を示す図
【図６】実施の形態１に係る照明制御システムにおける照明器具の配置例を示す図
【図７】実施の形態１におけるグループとゾーンとの対応関係の例を示す図
【図８】実施の形態１に係る照明制御装置の他の構成例を示すブロック図
【図９】実施の形態１に係る構成管理部に記憶される対象機器情報の例を示す図
【図１０】実施の形態１に係る照明制御装置が行う照明機器制御の動作の一例を示すフローチャート
【図１１】実施の形態１に係る親の照明制御装置が行う照明機器制御の動作の一例を示すフローチャート
【図１２】実施の形態１に係る子の照明制御装置が行う照明機器制御の動作の一例を示すフローチャート
【図１３】実施の形態１における照明機器制御の流れを示すシーケンス図
【図１４】実施の形態１における照明機器制御の流れを示すシーケンス図
【図１５】実施の形態１に係る子の照明制御装置が行う親の照明制御装置の異常判定の動作の一例を示すフローチャート
【図１６】実施の形態１に係る子の照明制御装置が行う主従判定処理の動作の一例を示すフローチャート
【図１７】実施の形態１における主従判定処理の流れを示すシーケンス図
【図１８】実施の形態１に係る照明制御装置が行う対象機器情報更新処理の動作の一例を示すフローチャート
【図１９】実施の形態１における対象機器情報更新処理の流れを示すシーケンス図
【図２０】実施の形態１に係る親の照明制御装置が行う子の照明制御装置の異常判定処理の動作の一例を示すフローチャート
【図２１】実施の形態１における子の照明制御装置の異常判定処理の流れを示すシーケンス図
【図２２】実施の形態１に係る照明制御装置の他の構成例を示すブロック図
【図２３】実施の形態１に係る照明制御装置が行う対象機器管理の動作の一例を示すフローチャート
【図２４】実施の形態１に係る照明制御装置が行う対象機器管理の流れを示すシーケンス図
【図２５】実施の形態１に係る照明制御システムの他の構成例を示すブロック図
【図２６】実施の形態１に係る子の照明制御装置が行う主従判定処理の動作の他の一例を示すフローチャート
【図２７】本発明の実施の形態２に係る照明制御システムの構成例を示すブロック図
【図２８】実施の形態２に係る照明制御装置の構成例を示すブロック図
【図２９】本発明の実施の形態に係る照明制御装置、照明機器、および指示装置のハードウェアの構成例を示す図である。
【発明を実施するための形態】
【００１０】
以下、本発明の実施の形態について図面を参照して詳細に説明する。なお図中、同一または同等の部分には同一の符号を付す。
【００１１】
（実施の形態１）
図１は、本発明の実施の形態１に係る照明制御システムの構成例を示すブロック図である。照明制御システム１は、互いにネットワーク２を介して接続されたｎ個の照明制御装置１０＿１，１０＿２，・・・，１０＿ｎを備える。ｎは３以上の任意の数である。以下の説明において、照明制御装置１０は、照明制御装置１０＿１，１０＿２，・・・，１０＿ｎの内、任意の照明制御装置を意味する。照明制御装置１０は、指示装置２１および照明機器２２に伝送線２３を介して接続される。指示装置２１は、照明機器２２の動作を指示する。指示装置２１は、例えば、壁スイッチ、センサ、リモコンスイッチ等である。壁スイッチである指示装置２１は、ユーザに操作され、ユーザの操作に応じて、照明機器２２の点灯、消灯、調光等の動作を指示する。指示装置２１として用いられるセンサは、例えば、人感センサ、照度センサ等である。照明制御装置１０に接続される指示装置２１および照明機器２２の数は任意である。以下の説明において、対象機器は、任意の指示装置２１または照明機器２２を意味する。照明制御装置１０は、伝送線２３を介して接続された対象機器を制御する。
【００１２】
いずれかの照明制御装置１０は、他の照明制御装置１０に対し、該他の照明制御装置１０に接続された照明機器２２の制御を指示する親の照明制御装置１０として動作し、親の照明制御装置１０を除く照明制御装置１０は、親の照明制御装置１０からの指示に応じて照明機器２２の制御を行う子の照明制御装置１０として動作する。親の照明制御装置１０に異常が生じた場合は、子の照明制御装置１０の中から、新たな親の照明制御装置１０を決定することで、照明制御システム１の可用性が向上する。
【００１３】
図２は、実施の形態１に係る照明制御装置の構成例を示すブロック図である。照明制御装置１０は、他の照明制御装置１０との通信を行う第１の通信部１１、対象機器との通信を行う第２の通信部１２、ならびに、機器制御情報および照明制御情報の少なくともいずれかを生成する機器制御部１３を備える。機器制御情報は、照明機器２２の動作の指示を含む。機器制御情報は、指示装置２１の制御内容をさらに含むことができる。機器制御情報は、例えば、壁スイッチである指示装置２１に設けられた、照明機器２２の点灯状態を示すＬＥＤ（Light Emitting Diode）に対する点灯、消灯等の指示を含む。照明制御情報は、照明機器２２の制御内容を示す。機器制御部１３は、機器制御情報および照明制御情報の少なくともいずれかを生成することで、自装置に接続される照明機器２２および他の照明制御装置１０に接続される照明機器２２の少なくともいずれかを制御する。照明制御装置１０は、第１の他の照明制御装置１０が異常であるか否かを判定する異常判定部１４、および異常判定部１４で第１の他の照明制御装置１０が異常であると判定された場合に、自装置および第２の他の照明制御装置１０の中から、新たな第１の他の照明制御装置１０を決定する主従判定部１５をさらに備える。いずれかの照明制御装置１０が親の照明制御装置１０として動作し、親の照明制御装置１０を除く照明制御装置１０が子の照明制御装置１０として動作する照明制御システム１において、第１の他の照明制御装置１０が親の照明制御装置１０に相当し、第２の他の照明制御装置１０が子の照明制御装置１０に相当する。
【００１４】
第１の通信部１１は、他の照明制御装置１０と、照明制御情報の送受信および照明制御装置１０の異常の有無を示す第１の確認信号の送受信を行う。自装置が親の照明制御装置１０である場合は、第１の通信部１１は、子の照明制御装置１０から他の子の照明制御装置１０に接続された照明機器２２に対する照明制御情報を受信すると、該他の子の照明制御装置１０に該照明制御情報を送信する。例えば、照明制御装置１０は、照明制御装置１０のそれぞれに割り当てられた固有の識別番号を予め保持し、第１の通信部１１は、送信元および送信先の照明制御装置１０の識別番号を含む通信フレームを生成し、通信フレームを送受信する。照明制御装置１０はそれぞれ、親の照明制御装置１０の識別番号を予め保持している。識別番号は、例えば照明制御装置１０に割り当てられたＭＡＣ（Media Access Control）アドレスである。
【００１５】
第２の通信部１２は、対象機器と、機器制御情報の送受信を行う。機器制御部１３は、第１の通信部１１で自装置に接続された照明機器２２に対する照明制御情報を受信した場合は、該照明制御情報に応じて、該照明機器２２に対する機器制御情報を生成する。また機器制御部１３は、第２の通信部１２で指示装置２１から照明機器２２に対する機器制御情報を受信した場合は、該機器制御情報に応じて、自装置に接続された照明機器２２に対する機器制御情報および他の照明制御装置１０に接続された照明機器２２に対する照明制御情報の少なくともいずれかを生成する。機器制御部１３が他の照明制御装置１０に接続された照明機器２２に対する照明機器情報を生成した場合において、自装置が親の照明制御装置１０である場合は、第１の通信部１１は、該他の照明制御装置１０に該照明制御情報を送信する。一方、機器制御部１３が他の照明制御装置１０に接続された照明機器２２に対する照明機器情報を生成した場合において、自装置が子の照明制御装置１０である場合は、第１の通信部１１は、親の照明制御装置１０に該照明制御情報を送信する。
【００１６】
図１の例において、照明制御装置１０＿１を親、照明制御装置１０＿２〜１０＿ｎを子とする。照明制御装置１０＿１に接続される指示装置２１である壁スイッチが、照明制御装置１０＿１に接続される照明機器２２の点灯指示を受け付けた場合、照明制御装置１０＿１が照明制御装置１０＿２に照明制御装置１０＿２に接続される照明機器２２の点灯を指示する場合を例にして説明する。照明制御装置１０＿１が有する第２の通信部１２は、指示装置２１から点灯を指示する機器制御情報を受信する。照明制御装置１０＿１が有する機器制御部１３は、該機器制御情報に応じて、照明制御装置１０＿１に接続される照明機器２２に対する、点灯を指示する機器制御情報を生成する。照明制御装置１０＿１が有する第２の通信部１２は、該機器制御情報を、照明制御装置１０＿１に接続される照明機器２２に送信し、該照明機器２２が点灯する。
【００１７】
さらに照明制御装置１０＿１が有する機器制御部１３は、指示装置２１に対し、例えば、壁スイッチに設けられたＬＥＤ（Light Emitting Diode：発光ダイオード）を緑色に点灯させる機器制御情報を生成してもよい。照明制御装置１０＿１が有する第２の通信部１２は、該機器制御情報を、点灯指示を受け付けた指示装置２１に送信し、指示装置２１に設けられたＬＥＤが緑色に点灯する。人感センサである指示装置２１が人を検出した場合も、上述と同様の処理が行われ、照明機器２２が点灯する。この場合、照明制御装置１０＿１が有する第２の通信部１２は、壁スイッチに設けられたＬＥＤを緑色に点灯させる機器制御情報を、点灯指示を受け付けた指示装置２１とは別の指示装置２１である壁スイッチに送信する。
【００１８】
また照明制御装置１０＿１が有する機器制御部１３は、指示装置２１から受信した機器制御情報に応じて、照明制御装置１０＿２に接続された照明機器２２に対する、点灯を指示する照明制御情報を生成する。照明制御装置１０＿１が有する第１の通信部１１は、該照明制御情報を照明制御装置１０＿２に送信する。照明制御装置１０＿２が有する第１の通信部１１は、該照明制御情報を受信する。照明制御装置１０＿２が有する機器制御部１３は、該照明制御情報に応じて、照明制御装置１０＿２に接続された照明機器２２に対する、点灯を指示する機器制御情報を生成する。照明制御装置１０＿２が有する第２の通信部１２は、該機器制御情報を、照明制御装置１０＿２に接続された照明機器２２に送信し、該照明機器２２が点灯する。照明制御装置１０＿２が有する第１の通信部１１は、照明機器２２に機器制御情報を送信した後に、照明制御装置１０＿１に、照明機器２２の制御結果を送信してもよい。また照明制御装置１０＿２が有する機器制御部１３は、上述のように、指示装置２１に対する機器制御情報を生成してもよい。この場合、照明制御装置１０＿２が有する第２の通信部１２は、該機器制御情報を、指示装置２１に送信する。
【００１９】
照明制御装置１０＿ｎに接続される指示装置２１が、照明制御装置１０＿ｎに接続される照明機器２２の点灯指示を受け付けた場合、照明制御装置１０＿ｎが照明制御装置１０＿２に照明制御装置１０＿２に接続される照明機器２２の点灯を指示する場合を例にして説明する。上述の例と同様に、照明制御装置１０＿ｎが有する第２の通信部１２は、指示装置２１から点灯を指示する機器制御情報を取得する。照明制御装置１０＿ｎが有する機器制御部１３は、該機器制御情報に応じて、照明制御装置１０＿ｎに接続される照明機器２２に対する、点灯を指示する機器制御情報を生成する。照明制御装置１０＿ｎが有する第２の通信部１２は、該機器制御情報を、照明制御装置１０＿ｎに接続される照明機器２２に送信し、該照明機器２２が点灯する。また照明制御装置１０＿ｎが有する機器制御部１３は、指示装置２１から取得した機器制御情報に応じて、照明制御装置１０＿２に接続された照明機器２２に対する、点灯を指示する照明制御情報を生成する。照明制御装置１０＿ｎは子であるため、照明制御装置１０＿ｎが有する第１の通信部１１は、該照明制御情報を親である照明制御装置１０＿１に送信する。
【００２０】
照明制御装置１０＿１が有する第１の通信部１１は、該照明制御情報を受信し、該照明制御情報を照明制御装置１０＿２に送信する。照明制御装置１０＿２が有する第１の通信部１１は、該照明制御情報を受信する。上述の例と同様に、照明制御装置１０＿２が有する機器制御部１３は、該照明制御情報に応じて、照明制御装置１０＿２に接続された照明機器２２に対する、点灯を指示する機器制御情報を生成する。照明制御装置１０＿２が有する第２の通信部１２は、該機器制御情報を、照明制御装置１０＿２に接続された照明機器２２に送信し、該照明機器２２が点灯する。照明制御装置１０＿２が有する第１の通信部１１は、照明機器２２に機器制御情報を送信した後に、照明制御装置１０＿１に、照明機器２２の制御結果を送信してもよい。照明制御装置１０＿２から照明機器２２の制御結果を受信した照明制御装置１０＿１は、該制御結果を照明制御装置１０＿ｎに送信する。
【００２１】
異常判定部１４は、自装置が子の照明制御装置１０である場合に、第１の通信部１１が親の照明制御装置１０から受信した第１の確認信号に応じて、親の照明制御装置１０が異常であるか否かを判定する。例えば、親の照明制御装置１０が有する第１の通信部１１は、定められた間隔で第１の確認信号を子の照明制御装置１０に送信する。第１の確認信号の送信間隔は任意である。子の照明制御装置１０は、第１の通信部１１が最後に第１の確認信号を受信してから定められた時間が経過した場合に、親の照明制御装置１０が異常であると判定する。定められた時間の長さは任意である。また親の照明制御装置１０は、自装置の状態を示すフラグを含む第１の確認信号を送信してもよい。この場合、子の照明制御装置１０が有する異常判定部１４は、上述の判定に加え、第１の通信部１１で受信した第１の確認信号が含むフラグに応じて、親の照明制御装置１０が異常であるか否かを判定する。
【００２２】
主従判定部１５は、異常判定部１４で親の照明制御装置１０が異常であると判定された場合に、子の照明制御装置１０の中から、新たな親の照明制御装置１０を決定する。図１の例では、照明制御装置１０＿１に異常が生じた場合、照明制御装置１０＿２，・・・，１０＿ｎが有する異常判定部１４はそれぞれ、照明制御装置１０＿１から最後に第１の確認信号を受信してから定められた時間が経過した場合に、照明制御装置１０＿１が異常であると判定する。その後、照明制御装置１０＿２，・・・，１０＿ｎが有する主従判定部１５はそれぞれ、照明制御装置１０＿２，・・・，１０＿ｎの中から新たな親の照明制御装置１０を決定する。
【００２３】
例えば、照明制御装置１０は、全ての照明制御装置１０にそれぞれ割り当てられた固有の識別番号を予め保持する。主従判定部１５は、識別番号に応じて、新たな親の照明制御装置１０を決定する。主従判定部１５は、例えば、異常が生じた親の照明制御装置１０を除く照明制御装置１０の識別番号の中から、最も小さい識別番号を選択し、最も小さい識別番号が割り当てられた照明制御装置１０を新たな親の照明制御装置１０として決定する。
【００２４】
照明制御装置１０が照明制御システム１に追加される際に、第１の通信部１１が、他の照明制御装置１０に自装置の識別番号を送信してもよい。また異常判定部１４で親の照明制御装置１０が異常であると判定された後に、第１の通信部１１が、他の照明制御装置１０に自装置の識別番号を送信してもよい。第１の通信部１１は、他の照明制御装置１０から識別番号を受信した場合に、自装置の識別番号を該他の照明制御装置１０に送信する。主従判定部１５は、予め保持している照明制御装置１０の識別番号および第１の通信部１１で受信した識別番号に応じて、異常が生じた親の照明制御装置１０を除く照明制御装置１０の識別番号の中から、最も小さい識別番号を選択し、最も小さい識別番号が割り当てられた照明制御装置１０を新たな親の照明制御装置１０として決定する。
【００２５】
図３は、実施の形態１に係る照明制御システムにおける照明器具の配置例を示す図である。照明制御装置１０のそれぞれに対して、少なくとも１つのグループが対応付けられる。グループは、該グループに対応付けられた照明制御装置１０が制御する照明機器２２を含む。照明制御装置１０はグループごとに、照明機器２２を制御する。図３の例では、グループ３１，３２のそれぞれに、４つの照明機器２２が含まれる。図１に示す照明制御装置１０＿１，１０＿２のそれぞれに対し、グループ３１，３２が対応付けられる場合を例にして点灯時の動作について説明する。
【００２６】
以下の説明において、ｋをｎ以下の任意の自然数とし、照明制御装置１０＿ｋが有する第１の通信部１１、第２の通信部１２、機器制御部１３、異常判定部１４、および主従判定部１５をそれぞれ、第１の通信部１１＿ｋ、第２の通信部１２＿ｋ、機器制御部１３＿ｋ、異常判定部１４＿ｋ、および主従判定部１５＿ｋとして記載する。第２の通信部１２＿１は、指示装置２１から、グループ３１に含まれる１つの照明機器２２の点灯を指示する機器制御情報を受信する。機器制御部１３＿１は、該機器制御情報に応じて、グループ３１に含まれる４つの照明機器２２に対する、点灯を指示する機器制御情報を生成する。第２の通信部１２＿１は、該機器制御情報を、グループ３１に含まれる４つの照明機器２２に送信し、４つの照明機器２２が点灯する。
【００２７】
また機器制御部１３＿１は、指示装置２１から取得した機器制御情報に応じて、照明制御装置１０＿２に接続された照明機器２２に対する、点灯を指示する照明制御情報を生成してもよい。この場合、第１の通信部１１＿１は、該照明制御情報を照明制御装置１０＿２に送信する。第１の通信部１１＿２は、該照明制御情報を受信する。機器制御部１３＿２は、該照明制御情報に応じて、グループごとに機器制御情報を生成する。すなわち、機器制御部１３＿２は、グループ３２に含まれる４つの照明機器２２に対する、点灯を指示する機器制御情報を生成する。第２の通信部１２＿２は、該機器制御情報を、グループ３２に含まれる４つの照明機器２２に送信し、４つの照明機器２２が点灯する。照明制御装置１０が、グループ単位で、点灯、消灯、調光等の照明機器２２の動作を制御することで、同じ照明制御装置１０に伝送線２３を介して接続された複数の照明機器２２を同時に動作させることが可能である。このため、一部の照明機器２２の点灯漏れ、消灯漏れ等を抑制することが可能である。
【００２８】
図４は、実施の形態１における照明機器とグループとの対応関係の例を示す図である。照明機器ＩＤは、照明機器２２に割り当てられた固有の識別番号である。グループＩＤは、グループに割り当てられた固有の識別番号である。図５は、実施の形態１における照明制御装置とグループとの対応関係の例を示す図である。照明制御装置ＩＤは、照明制御装置１０に割り当てられた固有の識別番号である。照明制御装置１０は、例えば、図示しない記憶部に、図４に示す照明機器２２とグループとの対応関係、および照明制御装置１０とグループとの対応関係を保持する。なお機器制御部１３が、上記対応関係を保持してもよい。照明制御装置１０に複数のグループが対応付けられてもよい。また照明機器２２は、同じ照明制御装置１０に対応付けられる複数のグループに含まれてもよい。
【００２９】
図６は、実施の形態１に係る照明制御システムにおける照明器具の配置例を示す図である。少なくとも１つのグループを含む、少なくとも１つのゾーンが定められる。照明制御装置１０はグループごとまたはゾーンごとに、照明機器２２を制御する。図６の例では、グループ３１，３２，３３，３４，３５，３６のそれぞれに、４つの照明機器２２が含まれる。またゾーン４１にグループ３１，３２，３４，３５が含まれ、ゾーン４２にグループ３３が含まれ、ゾーン４３にグループ３６が含まれる。図１に示す照明制御装置１０＿１に対し、グループ３１，３２，３３が対応付けられ、照明制御装置１０＿２に対し、グループ３４，３５，３６が対応付けられる場合を例にして点灯時の動作について説明する。
【００３０】
第２の通信部１２＿１は、指示装置２１から、グループ３１に含まれる１つの照明機器２２の点灯を指示する機器制御情報を受信する。機器制御部１３＿１は、該機器制御情報に応じて、グループ３１に含まれる４つの照明機器２２に対する、点灯を指示する機器制御情報を生成する。ゾーン４１には、グループ３１の他に、グループ３２，３４，３５が含まれる。グループ３２，３４，３５の内、照明制御装置１０＿１に対応付けられているグループは、グループ３２である。機器制御部１３＿１は、指示装置２１から受信した機器制御情報に応じて、ゾーン４１に含まれるグループ３２に含まれる４つの照明機器２２に対する、点灯を指示する機器制御情報を生成する。第２の通信部１２＿１は、上記機器制御情報を、グループ３１に含まれる４つの照明機器２２およびグループ３２に含まれる４つの照明機器２２に送信し、合計８つの照明機器２２が点灯する。
【００３１】
ゾーン４１に含まれるグループ３４，３５は照明制御装置１０＿２に対応付けられている。機器制御部１３＿１は、指示装置２１から受信した機器制御情報に応じて、グループ３４，３５に含まれる、照明制御装置１０＿２に接続された照明機器２２に対する、点灯を指示する照明制御情報を生成する。第１の通信部１１＿１は、該照明制御情報を照明制御装置１０＿２に送信する。該照明制御情報は、照明制御装置１０＿２に接続される照明機器２２を特定する必要はなく、グループ３４，３５を示す情報を含めばよい。
【００３２】
第１の通信部１１＿２は、該照明制御情報を受信する。機器制御部１３＿２は、該照明制御情報に応じて、グループごとに機器制御情報を生成する。すなわち、機器制御部１３＿２は、グループ３４，３５のそれぞれに含まれる４つの照明機器２２に対する、点灯を指示する機器制御情報を生成する。第２の通信部１２＿２は、該機器制御情報を、グループ３４に含まれる４つの照明機器２２およびグループ３５に含まれる４つの照明機器２２に送信し、合計８つの照明機器２２が点灯する。
【００３３】
なお指示装置２１ごとに、機器単位、グループ単位およびゾーン単位のいずれによって、点灯、消灯、調光等の照明機器２２の動作を指示するかを予め定めておいてもよい。機器単位で照明機器２２の動作を指示する指示装置２１から機器制御情報を取得した場合、照明制御装置１０は照明機器２２を個別に制御する。グループ単位で照明機器２２の動作を指示する指示装置２１から機器制御情報を取得した場合、照明制御装置１０はグループ単位で照明機器２２を制御する。またゾーン単位で照明機器２２の動作を指示する指示装置２１から機器制御情報を取得した場合、照明制御装置１０はゾーン単位で照明機器２２を制御する。
【００３４】
照明制御装置１０が、ゾーン単位で照明機器２２の動作を制御することで、同じ照明制御装置１０に伝送線２３を介して接続された複数の照明機器２２を同時に動作させることが可能であり、さらに異なる照明制御装置１０に伝送線２３を介して接続された複数の照明機器２２を同時に動作させることも可能である。建物内において、フロアごとに照明制御装置１０を設ける場合、各フロアの照明制御装置１０に複数のグループを対応付け、複数のフロアにまたがるゾーンを定める。この場合に、ゾーン単位で制御することで、複数のフロアにまたがる複数のグループに含まれる照明機器２２を同時に制御することが可能である。ゾーンを定めた場合であっても、上述のように指示装置２１ごとに動作の単位を定めることで、照明制御装置１０は、照明機器２２を個別に、またはグループ単位で、制御することができる。
【００３５】
図７は、実施の形態１におけるグループとゾーンとの対応関係の例を示す図である。ゾーンＩＤは、ゾーンに割り当てられた固有の識別番号である。照明制御装置１０は、例えば、図示しない記憶部に、図７に示すグループとゾーンとの対応関係を保持する。機器制御部１３が、上記対応関係を保持してもよい。１つのグループは、複数のゾーンに含まれてもよい。複数のグループが１つのゾーンに含まれてもよい。異なる照明制御装置１０に対応付けられたグループが同じゾーンに含まれてもよい。
【００３６】
図８は、実施の形態１に係る照明制御装置の他の構成例を示すブロック図である。図８に示す照明制御装置１０は、図２に示す照明制御装置１０の構成に加えて、対象機器の情報を示す対象機器情報が記憶される構成管理部１６をさらに備える。図９は、実施の形態１に係る構成管理部に記憶される対象機器情報の例を示す図である。対象機器情報は、照明制御装置１０に接続される指示装置２１および照明機器２２の状態、設定情報等を含む。図９の例は、照明制御装置ＩＤが０００１である照明制御装置１０に接続される指示装置２１および照明機器２２についての対象機器情報である。図９の例における、機器名は、対象機器の名称である。機器ＩＤは、対象機器に割り当てられた固有の識別番号である。動作設定は、対象機器の動作の設定情報である。指示装置２１の場合、動作設定は、個別、グループ単位、ゾーン単位等の、照明機器２２の動作の指示単位を示す。図９の例では、機器ＩＤ０２０１のセンサが人を検出すると、該センサに接続される照明制御装置１０は、ゾーン単位で制御を行う。また機器ＩＤ０３０１の壁スイッチが操作されると、該壁スイッチに接続される照明制御装置１０は、グループ単位で制御を行う。
【００３７】
機器状態は、対象機器が正常および異常のいずれであるかを示す。動作状態は、機器状態が正常である場合の対象機器の動作を示す。人感センサである指示装置２１の場合、動作状態は、人を検出済みであるか、または人を未検出の状態であるかを示す。また壁スイッチである指示装置２１の場合、動作状態は、壁スイッチに設けられたＬＥＤの色を示す。図９の例では、照明機器２２についての対象機器情報として、図４に示す照明機器２２とグループとの対応付け、照明機器２２の機器状態および動作状態を含む。図９の例では、照明機器２２が含まれるグループのグループＩＤを、動作設定として記憶している。照明機器２２の場合、動作状態は、照明機器２２が点灯しているか、または消灯しているかを示す。
【００３８】
照明制御装置１０は、対象機器情報を互いに送受信してもよい。第１の通信部１１は、対象機器情報の送受信を行う。構成管理部１６は、第１の通信部１１で他の照明制御装置１０から受信した対象機器情報を記憶する。構成管理部１６には、対象機器情報に加え、図５に示す照明制御装置１０とグループとの対応関係、および図７に示すグループとゾーンとの対応関係が記憶されてもよい。
【００３９】
図１０は、実施の形態１に係る照明制御装置が行う照明機器制御の動作の一例を示すフローチャートである。図１０は、接続された指示装置２１から機器制御情報を受信した照明制御装置１０が行う照明機器制御の動作の一例を示す。第２の通信部１２は、指示装置２１から機器制御情報を受信する（ステップＳ１１）。機器制御部１３は、該機器制御情報に応じて、指示装置２１の対象機器情報を取得し、指示装置２１の動作設定を取得する（ステップＳ１２）。指示装置２１の動作設定が、ゾーン単位での制御を示していない場合（ステップＳ１３；Ｎ）、ステップＳ２０の処理に進む。指示装置２１の動作設定が、ゾーン単位での制御を示している場合（ステップＳ１３；Ｙ）、機器制御部１３は、該機器制御情報の対象である照明機器２２が含まれるグループと同じゾーンに含まれる他のグループと照明制御装置との対応関係を取得する（ステップＳ１４）。該他のグループの中に、他の照明制御装置１０に対応付けられたグループがない場合は（ステップＳ１５；Ｎ）、ステップＳ２０の処理に進む。該他のグループの中に、他の照明制御装置１０に対応付けられたグループがある場合であって（ステップＳ１５；Ｙ）、自装置が親の照明制御装置１０である場合（ステップＳ１６；Ｙ）、機器制御部１３は、該他の照明制御装置１０に接続された照明機器２２に対する照明制御情報を生成し、第１の通信部１１は、該照明制御情報を該他の照明制御装置１０に送信する（ステップＳ１７）。ステップＳ１７の処理が完了すると、ステップＳ１８の処理に進む。
【００４０】
該他のグループの中に、他の照明制御装置１０に対応付けられたグループがある場合であって（ステップＳ１５；Ｙ）、自装置が子の照明制御装置１０である場合（ステップＳ１６；Ｎ）、機器制御部１３は、該他の照明制御装置１０に接続された照明機器２２に対する照明制御情報を生成し、第１の通信部１１は、該照明制御情報を親の照明制御装置１０に送信する（ステップＳ１９）。ステップＳ１９の処理が完了すると、ステップＳ１８の処理に進む。
【００４１】
第１の通信部１１が、他の照明制御装置１０または親の照明制御装置１０から、照明機器２２の制御結果を受信した場合（ステップＳ１８；Ｙ）、機器制御部１３は、同じゾーンに含まれる自装置に対応付けられたグループに含まれる照明機器２２に対する機器制御情報を生成する。第２の通信部１２は、該機器制御情報を該照明機器２２に送信する（ステップＳ２０）。照明機器２２の制御結果を受信していない場合は（ステップＳ１８；Ｎ）、ステップＳ１８の処理を繰り返し、制御結果の受信を待つ。定められた時間が経過しても、制御結果を受信しない場合は、ステップＳ２０の処理に進む。機器制御部１３は、指示装置２１に対する機器制御情報を生成し、該機器制御情報を指示装置２１に送信する（ステップＳ２１）。ステップＳ２１の処理が完了すると、照明制御装置１０は、照明制御の処理を終了する。
【００４２】
例えば、指示装置２１が壁スイッチの場合、ステップＳ１１において、第２の通信部１２は、壁スイッチが押下されたことを示す機器制御情報を受信する。またステップＳ２０において、照明機器２２の点灯状態の反転を指示、すなわち、点灯状態であれば消灯状態への切替を指示し、消灯状態であれば点灯状態への切替を指示する、機器制御情報が指示装置２１に送信される。
【００４３】
図１１は、実施の形態１に係る親の照明制御装置が行う照明機器制御の動作の一例を示すフローチャートである。図１１は、子の照明制御装置１０から照明制御情報を受信した親の照明制御装置１０が行う照明機器制御の動作の一例を示す。第１の通信部１１は、子の照明制御装置１０から照明制御情報を受信する（ステップＳ３１）。機器制御部１３は、該照明制御情報が示すグループと照明制御装置との対応関係を取得する（ステップＳ３２）。該照明制御情報が示すグループの中に、他の子の照明制御装置１０に対応付けられたグループがない場合（ステップＳ３３；Ｎ）、ステップＳ３７の処理に進む。該照明制御情報が示すグループの中に、他の子の照明制御装置１０に対応付けられたグループがある場合（ステップＳ３３；Ｙ）、第１の通信部１１は、他の子の照明制御装置１０に、該照明制御情報を送信する（ステップＳ３４）。第１の通信部１１が、他の子の照明制御装置１０から、照明機器２２の制御結果を受信した場合（ステップＳ３５；Ｙ）、受信した制御結果を子の照明制御装置１０に送信する（ステップＳ３６）。照明機器２２の制御結果を受信していない場合は（ステップＳ３５；Ｎ）、ステップＳ３５の処理を繰り返し、制御結果の受信を待つ。
【００４４】
該照明制御情報が示すグループの中に、自装置に対応付けられたグループがない場合（ステップＳ３７；Ｎ）、照明制御装置１０は、照明制御の処理を終了する。該照明制御情報が示すグループの中に、自装置に対応付けられたグループがある場合（ステップＳ３７；Ｙ）、機器制御部１３は、自装置に対応付けられたグループに含まれる照明機器２２に対する機器制御情報を生成する。第２の通信部１２は、該機器制御情報を該照明機器２２に送信する（ステップＳ３８）。機器制御部１３は、指示装置２１に対する機器制御情報を生成し、該機器制御情報を指示装置２１に送信する（ステップＳ３９）。第１の通信部１１は、子の照明制御装置１０に、照明機器２２の制御結果を送信する（ステップＳ４０）。ステップＳ４０の処理が完了すると、照明制御装置１０は、照明制御の処理を終了する。
【００４５】
図１２は、実施の形態１に係る子の照明制御装置が行う照明機器制御の動作の一例を示すフローチャートである。図１２は、親の照明制御装置１０から照明制御情報を受信した子の照明制御装置１０が行う照明機器制御の動作の一例を示す。第１の通信部１１は、親の照明制御装置１０から照明制御情報を受信する（ステップＳ５１）。機器制御部１３は、照明制御情報が示すグループに含まれる照明機器２２に対する機器制御情報を生成し、第２の通信部１２は、該機器制御情報を該照明機器２２に送信する（ステップＳ５２）。機器制御部１３は、指示装置２１に対する機器制御情報を生成し、第２の通信部１２は、該機器制御情報を指示装置２１に送信する（ステップＳ５３）。第１の通信部１１は、親の照明制御装置１０に、照明機器２２の制御結果を送信する（ステップＳ５４）。ステップＳ５４の処理が完了すると、照明制御装置１０は、照明制御の処理を終了する。
【００４６】
図１３は、実施の形態１における照明機器制御の流れを示すシーケンス図である。図１３は、親の照明制御装置１０＿１に接続された指示装置２１が点灯指示を受け付けた場合の、照明制御システム１における照明機器制御の流れを示す。親の照明制御装置１０＿１に対応付けられたグループと、子の照明制御装置１０＿２に対応付けられたグループとが同じゾーンに含まれる場合を例にして説明する。指示装置２１は、照明機器２２の点灯を指示する機器制御情報を親の照明制御装置１０＿１に送信する（ステップＳｑ１１）。親の第２の通信部１２＿１は、該機器制御情報を受信する。機器制御部１３＿１は、該機器制御情報に応じて、指示装置２１の動作設定および該機器制御情報の対象である照明機器２２が含まれるグループと同じゾーンに含まれる他のグループと照明制御装置１０との対応関係を取得する（ステップＳｑ１２）。機器制御部１３＿１は、該ゾーンに含まれる他のグループに対応付けられた子の照明制御装置１０＿２に接続された照明機器２２に対する照明制御情報を生成し、第１の通信部１１＿１は、該照明制御情報を子の照明制御装置１０＿２に送信する（ステップＳｑ１３）。
【００４７】
第１の通信部１１＿２は、親の照明制御装置１０＿１から照明制御情報を受信する。機器制御部１３＿２は、照明制御情報が示すグループに含まれる照明機器２２に対する機器制御情報を生成し、第２の通信部１２＿２は、該機器制御情報を該照明機器２２に送信する（ステップＳｑ１４）。子の照明制御装置１０＿２から該機器制御情報を受信した照明機器２２は、点灯動作を行う（ステップＳｑ１５）。機器制御部１３＿２は、壁スイッチである指示装置２１に対する機器制御情報を生成し、第２の通信部１２＿２は、該機器制御情報を指示装置２１に送信する（ステップＳｑ１６）。子の照明制御装置１０＿２から該機器制御情報を受信した指示装置２１は、点灯動作を行う（ステップＳｑ１７）。第１の通信部１１＿２は、照明機器２２の制御結果を親の照明制御装置１０＿１に送信する（ステップＳｑ１８）。
【００４８】
機器制御部１３＿１は、上記ゾーンに含まれる自装置に対応付けられたグループに含まれる照明機器２２に対する機器制御情報を生成する。第２の通信部１２＿１は、該機器制御情報を該照明機器２２に送信する（ステップＳｑ１９）。親の照明制御装置１０＿１から該機器制御情報を受信した照明機器２２は、点灯動作を行う（ステップＳｑ２０）。機器制御部１３＿１は、壁スイッチである指示装置２１に対する機器制御情報を生成し、第２の通信部１２＿１は、該機器制御情報を指示装置２１に送信する（ステップＳｑ２１）。親の照明制御装置１０＿１から該機器制御情報を受信した指示装置２１は、点灯動作を行う（ステップＳｑ２２）。
【００４９】
図１４は、実施の形態１における照明機器制御の流れを示すシーケンス図である。図１４は、子の照明制御装置１０＿２に接続された指示装置２１が点灯指示を受け付けた場合の、照明制御システム１における照明機器制御の流れを示す。親の照明制御装置１０＿１に対応付けられたグループと、子の照明制御装置１０＿２，１０＿３に対応付けられたグループとが同じゾーンに含まれる場合を例にして説明する。指示装置２１は、照明機器２２の点灯を指示する機器制御情報を子の照明制御装置１０＿２に送信する（ステップＳｑ３１）。第２の通信部１２＿２は、該機器制御情報を受信する。機器制御部１３＿２は、該機器制御情報に応じて、指示装置２１の動作設定および該機器制御情報の対象である照明機器２２が含まれるグループと同じゾーンに含まれる他のグループと照明制御装置１０との対応関係を取得する（ステップＳｑ３２）。機器制御部１３＿２は、同じゾーンに含まれる他のグループに対応付けられた親の照明制御装置１０＿１および子の照明制御装置１０＿３のそれぞれに接続された照明機器２２に対する照明制御情報を生成し、第１の通信部１１＿２は、上記照明制御情報を親の照明制御装置１０＿１に送信する（ステップＳｑ３３）。
【００５０】
第１の通信部１１＿１は、子の照明制御装置１０＿２から照明制御情報を受信する。機器制御部１３＿１は、該照明制御情報が示すグループと照明制御装置１０との対応関係を取得する（ステップＳｑ３４）。第１の通信部１１＿１は、該照明制御情報が示すグループに対応付けられた子の照明制御装置１０＿３に、該照明制御情報を送信する（ステップＳｑ３５）。第１の通信部１１＿３は、親の照明制御装置１０＿１から照明制御情報を受信する。機器制御部１３＿３は、照明制御情報が示すグループに含まれる照明機器２２に対する機器制御情報を生成し、第２の通信部１２＿３は、該機器制御情報を該照明機器２２に送信する（ステップＳｑ３６）。子の照明制御装置１０＿３から該機器制御情報を受信した照明機器２２は、点灯動作を行う（ステップＳｑ３７）。機器制御部１３＿３は、壁スイッチである指示装置２１に対する機器制御情報を生成し、第２の通信部１２＿３は、該機器制御情報を指示装置２１に送信する（ステップＳｑ３８）。子の照明制御装置１０＿３から該機器制御情報を受信した指示装置２１は、点灯動作を行う（ステップＳｑ３９）。第１の通信部１１＿３は、照明機器２２の制御結果を親の照明制御装置１０＿１に送信する（ステップＳｑ４０）。第１の通信部１１＿１は、子の照明制御装置１０＿３から受信した照明機器２２の制御結果を子の照明制御装置１０＿２に送信する（ステップＳｑ４１）。
【００５１】
機器制御部１３＿１は、子の照明制御装置１０＿２から受信した照明制御情報が示すグループに含まれる照明機器２２に対する機器制御情報を生成する。第２の通信部１２＿１は、該機器制御情報を該照明機器２２に送信する（ステップＳｑ４２）。親の照明制御装置１０＿１から該機器制御情報を受信した照明機器２２は、点灯動作を行う（ステップＳｑ４３）。機器制御部１３＿１は、壁スイッチである指示装置２１に対する機器制御情報を生成し、第２の通信部１２＿１は、該機器制御情報を指示装置２１に送信する（ステップＳｑ４４）。親の照明制御装置１０＿１から該機器制御情報を受信した指示装置２１は、点灯動作を行う（ステップＳｑ４５）。第１の通信部１１＿１は、照明機器２２の制御結果を子の照明制御装置１０＿２に送信する（ステップＳｑ４６）。
【００５２】
機器制御部１３＿２は、指示装置２１から受信した機器制御情報の対象である照明機器２２が含まれるグループに含まれる照明機器２２、および該グループと同じゾーンに含まれる自装置に対応付けられたグループに含まれる照明機器２２に対する機器制御情報を生成する。第２の通信部１２＿２は、該機器制御情報を該照明機器２２に送信する（ステップＳｑ４７）。子の照明制御装置１０＿２から該機器制御情報を受信した照明機器２２は、点灯動作を行う（ステップＳｑ４８）。機器制御部１３＿２は、壁スイッチである指示装置２１に対する機器制御情報を生成し、第２の通信部１２＿２は、該機器制御情報を指示装置２１に送信する（ステップＳｑ４９）。子の照明制御装置１０＿２から該機器制御情報を受信した指示装置２１は、点灯動作を行う（ステップＳｑ５０）。
【００５３】
照明制御システム１において、親の照明制御装置１０に異常が生じた場合、子の照明制御装置１０が新たに親の照明制御装置１０になる。子の照明制御装置１０が行う、親の照明制御装置１０の異常の有無を判定する処理について説明する。図１５は、実施の形態１に係る子の照明制御装置が行う親の照明制御装置の異常判定の動作の一例を示すフローチャートである。第１の通信部１１で第１の確認信号を受信した場合は（ステップＳ６１；Ｙ）、第１の通信部１１は第１の確認信号に対する応答を送信し（ステップＳ６２）、子の照明制御装置１０は、異常判定の処理を終了する。第１の通信部１１で第１の確認信号を受信していない場合であって（ステップＳ６１；Ｎ）、最後に第１の確認信号を受信してから定められた時間が経過していない間は（ステップＳ６３；Ｎ）、ステップＳ６１の処理を繰り返し、第１の確認信号の受信を待つ。第１の通信部１１で第１の確認信号を受信していない場合であって（ステップＳ６１；Ｎ）、最後に第１の確認信号を受信してから定められた時間が経過した場合は（ステップＳ６３；Ｙ）、異常判定部１４は、親の照明制御装置１０が異常であると判定し、子の照明制御装置１０の中から新たな親の照明制御装置１０を決定する、主従判定処理を行う（ステップＳ６４）。ステップＳ６４の処理が完了すると照明制御装置１０は、異常判定の処理を終了する。子の照明制御装置１０は、上述の異常判定の処理を定められた間隔で繰り返し行う。異常判定の処理を繰り返す間隔は、任意である。
【００５４】
図１６は、実施の形態１に係る子の照明制御装置が行う主従判定処理の動作の一例を示すフローチャートである。図１６は、図１５におけるステップＳ６４の処理の流れを示す。第１の通信部１１は、他の子の照明制御装置１０に、第１の確認信号を送信する（ステップＳ７１）。第１の通信部１１は、他の子の照明制御装置１０から第１の確認信号を受信し、送信元である該子の照明制御装置１０に、自装置の識別番号を含む応答を送信する（ステップＳ７２）。第１の通信部１１は、ステップＳ７１で送信した第１の確認信号の応答を受信し、主従判定部１５は、該応答に含まれる識別番号を記憶する（ステップＳ７３）。主従判定部１５は、記憶された照明制御装置１０の識別番号に応じて、新たな親の照明制御装置１０を決定する（ステップＳ７４）。主従判定部１５は、例えば、記憶された識別番号の中から、最も小さい識別番号を選択し、該識別番号が割り当てられた照明制御装置１０を、新たな親の照明制御装置１０として決定する。
【００５５】
新たな親の照明制御装置１０は、識別番号の小さい照明制御装置１０を選択するほか、例えば、配下の機器数、すなわち接続された指示装置２１および照明機器２２の数、が最多の照明制御装置１０を親の照明制御装置１０としてもよい。また、上記以外の例として、過去の定められた期間において、最も多く他の照明制御装置１０に対して点灯制御情報を送信した照明制御装置１０を親の照明制御装置１０としてもよい。例えば、接続された指示装置２１に対する操作指示、指示装置２１の検出等に応じて、指示装置２１から受信した機器制御情報が最も多かった照明制御装置１０を親の照明制御装置１０としてもよい。また、接続された照明機器２２に対して、点灯を指示する照明制御情報を最も多く送信した照明制御装置１０を親の照明制御装置１０としてもよい。このように他の照明制御装置１０との通信量が多い照明制御装置１０を親の照明制御装置１０とすることで、子の照明制御装置１０が親の照明制御装置１０を介して、他の子の照明制御装置１０へ通信する量が減り、照明制御装置１０の間の通信負荷を減らすことができる。
【００５６】
図１７は、実施の形態１における主従判定処理の流れを示すシーケンス図である。図１７は、親の照明制御装置１０に異常があると判定された場合の、子の照明制御装置１０における主従判定の処理の流れを示す。子の照明制御装置１０＿２，１０＿３，１０＿４がそれぞれ主従判定処理を行う場合を例にして説明する。子の照明制御装置１０＿２，１０＿３，１０＿４は互いに第１の確認信号を送信する。第１の通信部１１＿２は、子の照明制御装置１０＿３，１０＿４のそれぞれに第１の確認信号を送信する（ステップＳｑ６１）。第１の通信部１１＿３は、子の照明制御装置１０＿２から第１の確認信号を受信し、自装置の識別番号を含む第１の確認信号の応答を送信する（ステップＳｑ６２）。第１の通信部１１＿４は、子の照明制御装置１０＿２から第１の確認信号を受信し、自装置の識別番号を含む第１の確認信号の応答を送信する（ステップＳｑ６３）。第１の通信部１１＿２は、子の照明制御装置１０＿３，１０＿４から第１の確認信号の応答を受信する。主従判定部１５＿２は、それぞれの応答に含まれる識別番号を記憶する（ステップＳｑ６４）。
【００５７】
同様に、第１の通信部１１＿３は、子の照明制御装置１０＿２，１０＿４のそれぞれに第１の確認信号を送信する（ステップＳｑ６５）。第１の通信部１１＿２は、子の照明制御装置１０＿３から第１の確認信号を受信し、自装置の識別番号を含む第１の確認信号の応答を送信する（ステップＳｑ６６）。第１の通信部１１＿４は、子の照明制御装置１０＿３から第１の確認信号を受信し、自装置の識別番号を含む第１の確認信号の応答を送信する（ステップＳｑ６７）。第１の通信部１１＿３は、子の照明制御装置１０＿２，１０＿４から第１の確認信号の応答を受信する。主従判定部１５＿３は、それぞれの応答に含まれる識別番号を記憶する（ステップＳｑ６８）。
【００５８】
同様に、第１の通信部１１＿４は、子の照明制御装置１０＿２，１０＿３のそれぞれに第１の確認信号を送信する（ステップＳｑ６９）。第１の通信部１１＿２は、子の照明制御装置１０＿４から第１の確認信号を受信し、自装置の識別番号を含む第１の確認信号の応答を送信する（ステップＳｑ７０）。第１の通信部１１＿３は、子の照明制御装置１０＿４から第１の確認信号を受信し、自装置の識別番号を含む第１の確認信号の応答を送信する（ステップＳｑ７１）。第１の通信部１１＿４は、子の照明制御装置１０＿２，１０＿３から第１の確認信号の応答を受信する。主従判定部１５＿４は、それぞれの応答に含まれる識別番号を記憶する（ステップＳｑ７２）。
【００５９】
主従判定部１５＿２は、記憶された照明制御装置１０の識別番号に応じて、新たな親の照明制御装置１０を決定する（ステップＳｑ７３）。同様に、主従判定部１５＿３は、記憶された照明制御装置１０の識別番号に応じて、新たな親の照明制御装置１０を決定する（ステップＳｑ７４）。同様に、主従判定部１５＿４は、記憶された照明制御装置１０の識別番号に応じて、新たな親の照明制御装置１０を決定する（ステップＳｑ７５）。
【００６０】
照明制御システム１において、照明制御装置１０は、自装置に接続された対象機器についての対象機器情報を互いに共有してもよい。対象機器情報を照明制御装置１０の間で共有し、対象機器情報に変更があるたびに更新することで、親の照明制御装置１０の異常が生じた場合でも、新たに親となった照明制御装置１０が遅滞なく子の照明制御装置１０の制御を引き継ぐことが可能である。また新たに親となった照明制御装置１０が有する構成管理部１６は、異常があると判定された、直前の親の照明制御装置１０の対象機器情報を削除してもよい。構成管理部１６は、図５に示すグループと照明制御装置１０との対応関係から、該直前の親の照明制御装置１０とグループとの対応関係を削除してもよい。また構成管理部１６は、図７に示すグループとゾーンとの対応関係から、異常があると判定された直前の親の照明制御装置１０に対応付けられたグループとゾーンとの対応関係を削除してもよい。
【００６１】
図１８は、実施の形態１に係る照明制御装置が行う対象機器情報更新処理の動作の一例を示すフローチャートである。照明制御装置１０は、例えば、図１６に示す主従判定の処理が完了した後に、図１８に示す対象機器情報更新の処理を行う。第２の通信部１２は、対象機器の状態を含む対象機器情報を取得し、構成管理部１６は、対象機器情報を更新する（ステップＳ８１）。自装置が子の照明制御装置１０である場合（ステップＳ８２；Ｙ）、第１の通信部１１は、対象機器情報を親の照明制御装置１０に送信する（ステップＳ８３）。第１の通信部１１は、親の照明制御装置１０から全ての照明制御装置１０の対象機器情報を受信する（ステップＳ８４）。構成管理部１６は、受信した対象機器情報に応じて、他の照明制御装置１０の対象機器情報を更新する（ステップＳ８５）。自装置が子の照明制御装置１０でない場合（ステップＳ８２；Ｎ）、第１の通信部１１は、子の照明制御装置１０から対象機器情報を受信する（ステップＳ８６）。構成管理部１６は、受信した対象機器情報に応じて、子の照明制御装置１０の対象機器情報を更新する（ステップＳ８７）。第１の通信部１１は、全ての子の照明制御装置１０に、構成管理部１６に記憶されている全ての照明制御装置１０についての対象機器情報を送信する（ステップＳ８８）。
【００６２】
図１９は、実施の形態１における対象機器情報更新処理の流れを示すシーケンス図である。図１７に示す主従判定の処理の結果、照明制御装置１０＿３が新たに親となり、照明制御装置１０＿２，１０＿４が子である場合を例にして説明する。以下の説明において、ｋをｎ以下の任意の自然数とし、照明制御装置１０＿ｋが有する構成管理部１６を、構成管理部１６＿ｋとして記載する。子の照明制御装置１０＿２は、対象機器情報を取得し（ステップＳｑ８１）、対象機器情報を更新する（ステップＳｑ８２）。同様に、親の照明制御装置１０＿３は、対象機器情報を取得し（ステップＳｑ８３）、対象機器情報を更新する（ステップＳｑ８４）。同様に、子の照明制御装置１０＿４は、対象機器情報を取得し（ステップＳｑ８５）、対象機器情報を更新する（ステップＳｑ８６）。
【００６３】
第１の通信部１１＿２は、対象機器情報を親の照明制御装置１０＿３に送信する（ステップＳｑ８７）。同様に、第１の通信部１１＿４は、対象機器情報を親の照明制御装置１０＿３に送信する（ステップＳｑ８８）。第１の通信部１１＿３は、子の照明制御装置１０＿２，１０＿４から対象機器情報を受信する。構成管理部１６＿３は、受信した対象機器情報に応じて、子の照明制御装置１０の対象機器情報を更新する（ステップＳｑ８９）。第１の通信部１１＿３は、子の照明制御装置１０＿２，１０＿４に、構成管理部１６＿３に記憶されている全ての照明制御装置１０についての対象機器情報を送信する（ステップＳｑ９０）。第１の通信部１１＿２は、親の照明制御装置１０＿３から全ての照明制御装置１０の対象機器情報を受信する。構成管理部１６＿２は、受信した対象機器情報に応じて、全ての照明制御装置１０の対象機器情報を更新する（ステップＳｑ９１）。同様に、第１の通信部１１＿４は、親の照明制御装置１０＿３から全ての照明制御装置１０の対象機器情報を受信する。構成管理部１６＿４は、受信した対象機器情報に応じて、全ての照明制御装置１０の対象機器情報を更新する（ステップＳｑ９２）。
【００６４】
親の照明制御装置１０が有する異常判定部１４はさらに、第１の確認信号に基づいて、子の照明制御装置１０が異常であるか否かを判定してもよい。第１の通信部１１は、定められた間隔で第１の確認信号を子の照明制御装置１０に送信する。異常判定部１４は、第１の確認信号を送信してから定められた時間が経過しても、該第１の確認信号の送信先である子の照明制御装置１０から、該第１の確認信号の応答を受信しなかった場合、該子の照明制御装置１０に異常があると判定する。定められた時間の長さは任意である。構成管理部１６は、異常判定部１４で異常があると判定された子の照明制御装置１０の対象機器情報を削除する。構成管理部１６は、図５に示すグループと照明制御装置１０との対応関係から、異常があると判定された子の照明制御装置１０とグループとの対応関係を削除してもよい。また構成管理部１６は、図７に示すグループとゾーンとの対応関係から、異常があると判定された子の照明制御装置１０に対応付けられたグループとゾーンとの対応関係を削除してもよい。
【００６５】
図２０は、実施の形態１に係る親の照明制御装置が行う子の照明制御装置の異常判定処理の動作の一例を示すフローチャートである。第１の通信部１１は、子の照明制御装置１０に第１の確認信号を送信する（ステップＳ９１）。第１の通信部１１で子の照明制御装置１０からの第１の確認信号への応答を受信した場合は（ステップＳ９２；Ｙ）、親の照明制御装置１０は、異常判定の処理を終了する。第１の通信部１１で第１の確認信号への応答を受信していない場合であって（ステップＳ９２；Ｎ）、第１の確認信号を送信してから定められた時間が経過していない間は（ステップＳ９３；Ｎ）、ステップＳ９２の処理を繰り返し、第１の確認信号への応答の受信を待つ。第１の通信部１１で第１の確認信号への応答を受信していない場合であって（ステップＳ９２；Ｎ）、最後に第１の確認信号を受信してから定められた時間が経過した場合は（ステップＳ９３；Ｙ）、異常判定部１４は、子の照明制御装置１０が異常であると判定し、構成管理部１６は、該子の照明制御装置１０の対象機器情報を削除する（ステップＳ９４）。第１の通信部１１は、全ての子の照明制御装置１０に対し、構成管理部１６が記憶している全ての照明制御装置１０についての対象機器情報を送信する（ステップＳ９５）。ステップＳ９５の処理が完了すると親の照明制御装置１０は、異常判定の処理を終了する。親の照明制御装置１０は、上述の異常判定の処理を定められた間隔で繰り返す。
【００６６】
図２１は、実施の形態１における子の照明制御装置の異常判定処理の流れを示すシーケンス図である。親の照明制御装置１０＿１が子の照明制御装置１０＿２，１０＿３の異常判定を行う場合を例にして説明する。第１の通信部１１＿１は、子の照明制御装置１０＿２，１０＿３に第１の確認信号を送信する（ステップＳｑ１０１）。第１の通信部１１＿３は、第１の確認信号への応答を送信する（ステップＳｑ１０２）。子の照明制御装置１０＿２に第１の確認信号を送信してから、一定時間が経過しても子の照明制御装置１０＿２から第１の確認信号への応答を受信していないため、異常判定部１４＿１は、子の照明制御装置１０＿２が異常であると判定する（ステップＳｑ１０３）。構成管理部１６＿１は、子の照明制御装置１０＿２の対象機器情報を削除する（ステップＳｑ１０４）。第１の通信部１１＿１は、子の照明制御装置１０＿３に対し、構成管理部１６＿１が記憶している全ての照明制御装置１０についての対象機器情報を送信する（ステップＳｑ１０５）。第１の通信部１１＿３は、親の照明制御装置１０＿１から全ての照明制御装置１０の対象機器情報を受信する。構成管理部１６＿３は、受信した対象機器情報に応じて、全ての照明制御装置１０の対象機器情報を更新する（ステップＳｑ１０６）。
【００６７】
図２２は、実施の形態１に係る照明制御装置の他の構成例を示すブロック図である。図２２に示す照明制御装置１０は、図８に示す照明制御装置１０の構成に加えて、自装置に接続される対象機器の対象機器情報に変更があるか否かを判定する対象機器管理部１７をさらに備える。第２の通信部１２は、対象機器と、対象機器の異常の有無を示す第２の確認信号の送受信を行う。対象機器管理部１７は、第２の通信部１２が、対象機器から受信した第２の確認信号に応じて、対象機器の対象機器情報に変更があるか否かを判定する。構成管理部１６は、対象機器管理部１７の判定に応じて、対象機器情報を更新する。
【００６８】
例えば、第２の通信部１２は、対象機器に第２の確認信号を送信する。対象機器は、第２の確認信号を受信し、第２の確認信号への応答を照明制御装置１０に送信する。対象機器管理部１７は、第２の確認信号を対象機器に送信してから定められた時間が経過しても、該対象機器から第２の確認信号への応答を受信しない場合、該対象機器が異常であると判定する。構成管理部１６は、対象機器管理部１７で異常であると判定された対象機器についての対象機器情報を削除する。また対象機器が照明制御システム１に新たに追加された場合、対象機器は、接続された照明制御装置１０に第２の確認信号を送信する。第２の通信部１２で対象機器から第２の確認信号を受信した場合、第２の通信部１２は、対象機器から対象機器情報を取得し、構成管理部１６は、該対象機器についての対象機器情報を追加する。構成管理部１６によって対象機器情報が更新された場合、図１８と同様に、照明制御装置１０は、対象機器情報更新の処理を行う。
【００６９】
図２３は、実施の形態１に係る照明制御装置が行う対象機器管理の動作の一例を示すフローチャートである。第２の通信部１２は、対象機器に第２の確認信号を送信する（ステップＳ１０１）。第２の通信部１２で対象機器から信号を受信し、受信した信号が、送信した第２の確認信号への応答である場合は（ステップＳ１０２；Ｙ、ステップＳ１０４；Ｎ）、照明制御装置１０は、対象機器管理の処理を終了する。第２の通信部１２で第２の確認信号への応答および第２の確認信号のいずれも受信していない場合であって（ステップＳ１０２；Ｎ）、第２の確認信号を送信してから定められた時間が経過していない間は（ステップＳ１０３；Ｎ）、ステップＳ１０２の処理を繰り返し、第２の確認信号への応答の受信を待つ。
【００７０】
第２の通信部１２で第２の確認信号への応答および第２の確認信号のいずれも受信していない場合であって（ステップＳ１０２；Ｎ）、第２の確認信号を送信してから定められた時間が経過した場合は（ステップＳ１０３；Ｙ）、対象機器管理部１７は、対象機器に異常が生じたため、対象機器情報に変更があると判定する。構成管理部１６は、記憶している該対象機器についての対象機器情報を削除して、対象機器情報を更新する（ステップＳ１０５）。第２の通信部１２で対象機器から信号を受信し、受信した信号が第２の確認信号である場合（ステップＳ１０２；Ｙ、ステップＳ１０４；Ｙ）、対象機器管理部１７は、新たに対象機器が追加されたため、対象機器情報に変更があると判定する。構成管理部１６は、該対象機器についての対象機器情報を追加して、対象機器情報を更新する（ステップＳ１０５）。ステップＳ１０５の処理が完了すると、照明制御装置１０は、図１８のステップＳ８２〜Ｓ８８の処理を行う。これにより、照明制御装置１０の間で、更新された対象機器情報が共有される。
【００７１】
図２４は、実施の形態１に係る照明制御装置が行う対象機器管理の流れを示すシーケンス図である。照明機器２２に異常が生じ、新たな照明機器２２が追加される場合を例にして説明する。第２の通信部１２は、照明機器２２および指示装置２１に第２の確認信号を送信する（ステップＳｑ１１１）。指示装置２１は、第２の確認信号への応答を照明制御装置１０に送信する（ステップＳｑ１１２）。対象機器管理部１７は、照明機器２２に第２の確認信号を送信してから定められた時間が経過したため、照明機器２２に異常があると判定する（ステップＳｑ１１３）。構成管理部１６は、記憶している該対象機器についての対象機器情報を削除する（ステップＳｑ１１４）。追加された照明機器２２は、第２の確認信号を照明制御装置１０に送信する（ステップＳｑ１１５）。第２の通信部１２は、追加された照明機器２２から第２の確認信号を受信する。第２の通信部１２は、追加された照明機器２２の対象機器情報を取得し、構成管理部１６は、追加された照明機器２２についての対象機器情報を追加する（ステップＳｑ１１６）。ステップＳｑ１１４における照明機器２２の対象機器情報の削除およびステップＳｑ１１６における照明機器２２の対象機器情報の追加が行われた後は、図１９のステップＳｑ８７〜Ｓｑ９２に示すように、更新された対象機器情報が照明制御装置１０の間で共有される。
【００７２】
図２５は、実施の形態１に係る照明制御システムの他の構成例を示すブロック図である。図２５に示す照明制御システム１は、図１に示す照明制御システム１の構成に加えて、設定装置５１をさらに備える。設定装置５１は、ユーザからの入力を受け付け、照明制御装置１０とグループとの対応関係およびグループに含まれる照明機器２２を決定する。設定装置５１は、ネットワーク２を介して接続された照明制御装置１０に、照明制御装置１０とグループとの対応関係およびグループに含まれる照明機器２２を示す対応関係情報を送信する。第１の通信部１１は、対応関係情報を受信する。照明制御装置１０は、第１の通信部１１で受信した対応関係情報に応じて、グループごとに照明機器２２を制御する。
【００７３】
また設定装置５１は、ユーザからの入力を受け付け、照明制御装置１０とグループとの対応関係、グループに含まれる照明機器２２、グループとゾーンとの対応関係を決定してもよい。この場合、設定装置５１は、ネットワーク２を介して接続された照明制御装置１０に、照明制御装置１０とグループとの対応関係、グループに含まれる照明機器２２、およびグループとゾーンとの対応関係を示す対応関係情報を送信する。第１の通信部１１は、対応関係情報を受信する。照明制御装置１０は、第１の通信部１１で受信した対応関係情報に応じて、ゾーンごとに照明機器２２を制御する。
【００７４】
設定装置５１は、ユーザからの入力を受け付け、親の照明制御装置１０を決定してもよい。設定装置５１は、ユーザからの入力を受け付け、指示装置２１の動作設定を決定してもよい。この場合、設定装置５１は、照明機器２２の動作の指示単位が、例えば、個別、グループ単位、およびゾーン単位のいずれであるかを照明制御装置１０に通知する。照明制御装置１０は、設定装置５１からの通知に応じて、対象機器情報を更新する。
【００７５】
異常判定部１４で親の照明制御装置１０が異常であると判定された場合、第１の通信部１１は、親の照明制御装置１０の異常を設定装置５１に通知し、設定装置５１が親の照明制御装置１０の異常を報知してもよい。設定装置５１は、例えば表示画面を有し、表示画面に親の照明制御装置１０が異常である旨を表示することができる。異常判定部１４で子の照明制御装置１０が異常であると判定された場合も、同様に、設定装置５１は、表示画面に子の照明制御装置１０が異常である旨を表示することができる。対象機器管理部１７で対象機器が異常であると判定された場合、第１の通信部１１は、対象機器の異常を設定装置５１に通知し、設定装置５１が対象機器の異常を報知してもよい。また親の照明制御装置１０は、構成管理部１６が記憶する対象機器情報を設定装置５１に送信し、設定装置５１は、表示画面に対象機器情報を表示してもよい。
【００７６】
以上説明した通り、本実施の形態１に係る照明制御システム１によれば、親の照明制御装置１０が異常であると判定された場合に、子の照明制御装置１０の中から新たな親の照明制御装置１０を決定することで、照明制御システム１の可用性を向上させることが可能である。
【００７７】
子の照明制御装置１０が最後に親の照明制御装置１０から第１の確認信号を受信してから定められた時間経過した場合は、子の照明制御装置１０は、親の照明制御装置１０が異常であると判定し、子の照明制御装置１０の中から新たな親の照明制御装置１０を決定する。そのため、照明制御装置１０の台数によらず、照明制御システム１の可用性を向上させることが可能である。子の照明制御装置１０の中から新たな親の照明制御装置１０を決定することで、異常が生じた親の照明制御装置１０を交換せずとも、親の照明制御装置１０による子の照明制御装置１０の制御を継続することが可能である。
【００７８】
照明機器２２の制御をゾーン単位またはグループ単位で行う場合に、グループ内の一部の照明機器２２が該グループ内の他の照明機器２２と異なる動作をしている場合、制御ソフトウェアの異常ではなく、他の照明機器２２と異なる動作をしている照明機器２２本体の異常であると判別可能である。これにより、照明機器２２の保守作業の効率が向上する。
【００７９】
照明制御装置１０は、対象機器と第２の確認信号の送受信を行い、第２の確認信号に応じて対象機器情報を更新し、更新した対象機器情報は照明制御装置１０の間で共有される。そのため、例えば照明機器２２に異常が生じた場合、照明機器２２が新たに追加された場合等、照明制御システム１の構成に変更が生じても、照明機器２２の制御を継続することが可能である。また例えば、停電が生じた場合、停電からの復旧後に、自動的に対象機器情報が更新されるため、停電前の照明制御システム１の構成に復旧することが可能である。
【００８０】
図２６は、実施の形態１に係る子の照明制御装置が行う主従判定処理の動作の他の一例を示すフローチャートである。図２６に示す主従判定処理は、図１６に示す主従判定処理の変形例である。図２６に示す主従判定処理の変形例では、新たな親の照明制御装置１０を決定するとともに、決定した親の後継となる照明制御装置１０を決定する。主従判定部１５は、親の照明制御装置１０の後継となる照明制御装置１０が定められていれば（ステップＳ７５；Ｙ）、後継に定められた照明制御装置１０を新たな親の照明制御装置１０に決定する（ステップＳ７７）。親の照明制御装置１０の後継となる照明制御装置１０が定められていなければ（ステップＳ７５；Ｎ）、実施の形態１で説明した主従判定処理と同様に、第１の通信部１１は、他の子の照明制御装置１０に、第１の確認信号を送信する（ステップＳ７１）。ステップＳ７１からステップＳ７４までは、図１６と同じである。
【００８１】
ステップＳ７４に続いて、主従判定部１５は、記憶された照明制御装置１０の識別番号に応じて、ステップＳ７４で決定した親の照明制御装置１０を除く子の照明制御装置１０の中から、親の後継となる照明制御装置１０を決定する（ステップＳ７６）。主従判定処理において、あらかじめ親の後継となる照明制御装置１０を決定しておくことで、次に親の照明制御装置１０に異常が生じた際に、子の照明制御装置１０は、親の後継となる照明制御装置１０を新たな親の照明制御装置１０とすることで、親の照明制御装置１０を定め直すのに必要となる他の子の照明制御装置１０との確認信号の送受信を行わずにすみ、システムの停止時間を短くすることが可能である。
【００８２】
（実施の形態２）
実施の形態１においては、照明制御装置１０に割り当てられた識別番号として、例えばＭＡＣアドレスが用いられる。実施の形態２においては、識別番号は、ハードウェア、例えばＤＩＰ（Dual In-line Package）スイッチによって設定される。図２７は、本発明の実施の形態２に係る照明制御システムの構成例を示すブロック図である。実施の形態２に係る照明制御システム１においては、照明制御装置１０＿１，１０＿２，・・・，１０＿ｎのそれぞれに対して、設定装置５１＿１，５１＿２，・・・，５１＿ｎが設けられる。以下の説明において、設定装置５１は、設定装置５１＿１，５１＿２，・・・，５１＿ｎの内、任意の設定装置を意味する。設定装置５１は、対応付けられる照明制御装置１０と直接的に、例えば赤外線通信を行う。設定装置５１は、照明制御装置１０と直接的に通信を行って、例えば、照明制御装置１０の識別番号を設定する。
【００８３】
図２８は、実施の形態２に係る照明制御装置の構成例を示すブロック図である。実施の形態２に係る照明制御装置１０は、図２に示す照明制御装置１０の構成に加えて、赤外線通信部１８をさらに備える。赤外線通信部１８は、設定装置５１から識別番号を受信する。例えば、第１の通信部１１は、送信元に設定装置５１から受信した自装置の識別番号を含む通信フレームを送信する。また例えば、主従判定部１５は、設定装置５１から受信した自装置の識別番号および他の照明制御装置１０から受信した識別番号に応じて、子の照明制御装置１０の中から、新たな親の照明制御装置１０を決定する。
【００８４】
以上説明した通り、本実施の形態２に係る照明制御システム１によれば、照明制御装置１０ごとに設けられた設定装置５１から照明制御装置１０に固有の識別番号を設定し、親の照明制御装置１０が異常であると判定された場合に、識別番号に応じて、子の照明制御装置１０の中から新たな親の照明制御装置１０を決定することで、照明制御システム１の可用性を向上させることが可能である。
【００８５】
図２９は、本発明の実施の形態に係る照明制御装置、指示装置、および照明機器のハードウェアの構成例を示す図である。照明制御装置１０、指示装置２１、および照明機器２２は、それぞれの装置を制御するハードウェア構成としてプロセッサ１１１、メモリ１１２、およびインターフェース１１３を備える。これらの装置の各機能は、プロセッサ１１１がメモリ１１２に記憶されたプログラムを実行することにより実現される。インターフェース１１３は各装置を接続し、通信を確立させるためのものであり、必要に応じて複数の種類のインターフェースから構成されてもよい。図２９では、プロセッサ１１１およびメモリ１１２をそれぞれ１つで構成する例を示しているが、複数のプロセッサ１１１および複数のメモリ１１２が連携して各機能を実行してもよい。
【００８６】
その他、前記のハードウェア構成やフローチャートは一例であり、任意に変更および修正が可能である。
【００８７】
プロセッサ１１１、メモリ１１２，およびインターフェース１１３で構成される制御処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭなど）に格納して配布し、前記コンピュータプログラムをコンピュータにインストールすることにより、前記の処理を実行する照明制御装置１０、指示装置２１、および照明機器２２を構成してもよい。また、通信ネットワーク上のサーバ装置が有する記憶装置に前記コンピュータプログラムを格納しておき、通常のコンピュータシステムがダウンロードすることで照明制御装置１０、指示装置２１、および照明機器２２を構成してもよい。
【００８８】
また、照明制御装置１０、指示装置２１、および照明機器２２の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００８９】
また、搬送波にコンピュータプログラムを重畳し、通信ネットワークを介して配信することも可能である。たとえば、通信ネットワーク上の掲示板（BBS：Bulletin Board System）に前記コンピュータプログラムを掲示し、通信ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【００９０】
本発明の実施の形態は上述の実施の形態に限られない。上述の対象機器情報は一例である。
【符号の説明】
【００９１】
１  照明制御システム、２  ネットワーク、１０，１０＿１，１０＿２，・・・，１０＿ｎ  照明制御装置、１１  第１の通信部、１２  第２の通信部、１３  機器制御部、１４  異常判定部、１５  主従判定部、１６  構成管理部、１７  対象機器管理部、１８  赤外線通信部、２１  指示装置、２２  照明機器、２３  伝送線、３１，３２，３３，３４，３５，３６  グループ、４１，４２，４３  ゾーン、５１，５１＿１，５１＿２，・・・，５１＿ｎ、１１１  プロセッサ、１１２  メモリ、１１３  インターフェース。
【図１】
2018147608.tif 000003
【図２】
2018147608.tif 000004
【図３】
2018147608.tif 000005
【図４】
2018147608.tif 000006
【図５】
2018147608.tif 000007
【図６】
2018147608.tif 000008
【図７】
2018147608.tif 000009
【図８】
2018147608.tif 000010
【図９】
2018147608.tif 000011
【図１０】
2018147608.tif 000012
【図１１】
2018147608.tif 000013
【図１２】
2018147608.tif 000014
【図１３】
2018147608.tif 000015
【図１４】
2018147608.tif 000016
【図１５】
2018147608.tif 000017
【図１６】
2018147608.tif 000018
【図１７】
2018147608.tif 000019
【図１８】
2018147608.tif 000020
【図１９】
2018147608.tif 000021
【図２０】
2018147608.tif 000022
【図２１】
2018147608.tif 000023
【図２２】
2018147608.tif 000024
【図２３】
2018147608.tif 000025
【図２４】
2018147608.tif 000026
【図２５】
2018147608.tif 000027
【図２６】
2018147608.tif 000028
【図２７】
2018147608.tif 000029
【図２８】
2018147608.tif 000030
【図２９】
2018147608.tif 000031